(57)【特許請求の範囲】
【請求項１】
肩ベルト付き子供保持具を装着した乳幼児を、装着状態のままで保持するための座席付き育児器具であって、
乳幼児を受け入れるための受入空間を形成する座席部と、
前記座席部上で乳幼児を保持している前記子供保持具から延びる前記肩ベルトを収納するための収納部とを備え、
前記座席部は、座面部と背面部とを含み、
前記収納部は、前記座面部のうち乳幼児の足側に位置する端部裏面に設けられている、座席付き育児器具。
【請求項２】
前記子供保持具は、腰ベルトをさらに含んでおり、
前記収納部は、前記子供保持具から延びる前記腰ベルトを収納する、請求項１に記載の座席付き育児器具。
【請求項３】
肩ベルト付き子供保持具を装着した乳幼児を、装着状態のままで保持するための座席付き育児器具であって、
乳幼児を受け入れるための受入空間を形成する座席部と、
前記座席部上で乳幼児を保持している前記子供保持具から延びる前記肩ベルトを収納するための収納部とを備え、
前記座席部は、座面部と背面部とを含み、
前記収納部は、前記背面部に設けられ、
前記背面部は、背もたれ部と、前記背もたれ部の両端縁から立ち上がる一対の立ち上がり部とを有し、
前記収納部は、前記立ち上がり部に設けられている、座席付き育児器具。
【請求項４】
前記収納部は、袋状に形成されている、請求項１〜３のいずれかに記載の座席付き育児器具。
【請求項５】
前記座席部は、座席フレームと、前記座席フレーム上に装着される座席ハンモックとを含み、
前記収納部は、前記座席ハンモックに切込みを入れることで形成されている、請求項１〜４のいずれかに記載の座席付き育児器具。
【請求項６】
肩ベルト付き子供保持具を装着した乳幼児を、装着状態のままで保持するための座席付き育児器具であって、
乳幼児を受け入れるための受入空間を形成する座席部と、
前記座席部上で乳幼児を保持している前記子供保持具から延びる前記肩ベルトを収納するための収納部と、
前記座席部の下方に設けられる収納かごとを備え、
前記座席部は、座席フレームと、前記座席フレーム上に装着される座席ハンモックとを含み、
前記収納部は、前記収納かごの前方に設けられ、前記座席フレームに吊り下げられた袋部である、座席付き育児器具。
【請求項７】
肩ベルト付き子供保持具を装着した乳幼児を、装着状態のままで保持するための座席付き育児器具であって、
乳幼児を受け入れるための受入空間を形成する座席部と、
前記座席部上で乳幼児を保持している前記子供保持具から延びる前記肩ベルトを収納するための収納部とを備え、
前記座席部は、座席フレームと、前記座席フレーム上に装着される座席ハンモックとを含み、
前記収納部は、前記座席フレームに吊り下げられた袋部であり、
前記袋部の前方には、前記肩ベルトを固定するための掛止部が設けられている、座席付き育児器具。
【請求項８】
前記子供保持具の裏面と前記背面部の表面とは、面ファスナで連結される、請求項１〜５のいずれかに記載の座席付き育児器具。
【請求項９】
前記座席付き育児器具は、乳母車である、請求項１〜８のいずれかに記載の座席付き育児器具。
【発明の詳細な説明】
【技術分野】
【０００１】
この発明は、座席付き育児器具に関し、特に、肩ベルト付き子供保持具を装着した乳幼児を、装着状態のままで保持するための座席付き育児器具に関する。
【背景技術】
【０００２】
従来から、乳幼児を外出させるときには、乳幼児を載置できる座席付き育児器具（たとえば、乳母車）と、乳幼児を抱っこするときなどに用いる肩ベルト付き子供保持具（たとえば、子守帯）とが併用して使用されることがある。
【０００３】
例えば、特開２０１１−１４７４７５号公報（特許文献１）には、乳幼児を子守帯に保持したまま、乳母車に取り付け可能な子守帯が開示されている。この子守帯は、乳幼児を保持する子守帯本体と、子守帯本体に連結され、乳幼児を担ぐ者の肩に掛け渡される肩ベルトとを備える。子守帯本体に乳幼児を保持させたまま、乳幼児を乳母車に乗せるには、肩ベルトを子守帯本体から分離することが開示されている。
【先行技術文献】
【特許文献】
【０００４】
【特許文献１】特開２０１１−１４７４７５号公報（特許５５５８１２３号公報）
【発明の概要】
【発明が解決しようとする課題】
【０００５】
上述のように、特許文献１の子守帯においては、子守帯本体に保持された乳幼児を乳母車に乗せる場合、子守帯本体から肩ベルトを分離することができるため、肩ベルトがじゃまになることはない。しかし、肩ベルトが完全に分離されていると、座席から乳幼児を抱き上げる際、子守帯本体に肩ベルトを連結し直す作業に時間がかかるおそれがあった。
【０００６】
本発明は、上記のような課題を解決するためになされたものであって、その目的は、肩ベルト付き子供保持具を装着した乳幼児を乳母車に乗せたときに、肩ベルトがじゃまにならず、かつ、座席から容易に乳幼児を抱き上げることができる座席付き育児器具を提供することを目的とする。
【課題を解決するための手段】
【０００７】
この目的のため本発明による座席付き育児器具は、肩ベルト付き子供保持具を装着した乳幼児を、装着状態のままで保持するための座席付き育児器具である。乳幼児を受け入れるための受入空間を形成する座席部と、座席部上で乳幼児を保持している子供保持具から延びる肩ベルトを収納するための収納部とを備える。
【０００８】
好ましくは、座席部は、座面部と背面部とを含み、収納部は、座面部に設けられることが望ましい。
【０００９】
座面部の収納部は、座面部のうち乳幼児の足側に位置する端部裏面に設けられていることが望ましい。
【００１０】
子供保持具は、腰ベルトをさらに含んでおり、収納部は、子供保持具から延びる腰ベルトを収納することが望ましい。
【００１１】
好ましくは、座席部は、座面部と背面部とを含み、収納部は、背面部に設けられることが望ましい。
【００１２】
背面部は、背もたれ部と、背もたれ部の両端縁から立ち上がる一対の立ち上がり部とを有し、収納部は、立ち上がり部に設けられていることが望ましい。
【００１３】
収納部は、袋状に形成されていてもよい。
【００１４】
座席部は、座席フレームと、座席フレーム上に装着される座席ハンモックとを含み、収納部は、座席ハンモックに切込みを入れることで形成されていてもよい。
【００１５】
座席部は、座席フレームと、座席フレーム上に装着される座席ハンモックとを含み、収納部は、座席フレームに設けられていてもよい。
【００１６】
好ましくは、収納部は、座席フレームに吊り下げられた袋部である。
【００１７】
好ましくは、子供保持具の裏面と背面部の表面とは、面ファスナで連結されることが望ましい。
【００１８】
座席付き育児器具は、乳母車であってもよい。
【発明の効果】
【００１９】
本発明によれば、肩ベルト付き子供保持具を装着した乳幼児を乳母車に乗せたときに、肩ベルトがじゃまにならず、かつ、座席から容易に乳幼児を抱き上げることができる座席付き育児器具を提供することができる。
【図面の簡単な説明】
【００２０】
【図１】肩ベルト付き子供保持具（子守帯）を前面側から見た正面図である。
【図２】図１に示す子守帯本体の正面図である。
【図３】子守帯のヘッドサポート部の正面図である。
【図４】子守帯を装着した乳幼児の状態を前面から見た外観図である。
【図５】子守帯の使用状態を示す斜視図である。
【図６】本発明の実施の形態１に係る座席付き育児器具（乳母車）の斜視図である。
【図７】本発明の実施の形態１において、乳母車が、子守帯を装着した乳幼児を保持した状態を示す外観図である。
【図８】本発明の実施の形態１において、子守帯の肩ベルトおよび腰ベルトを収納する収納部を概念的に示す図である。
【図９】本発明の実施の形態１における収納部の構成例を模式的に示す図である。
【図１０】本発明の実施の形態１において、収納部の他の構成例を模式的に示す図である。
【図１１】本発明の実施の形態２において、子守帯の肩ベルトおよび腰ベルトを収納する収納部を概念的に示す図である。
【図１２】本発明の実施の形態２における肩ベルトの収納部の構成例を模式的に示す図である。
【図１３】本発明の実施の形態３において、子守帯の肩ベルトおよび腰ベルトを収納する収納部を概念的に示す図である。
【図１４】本発明の実施の形態３に係る乳母車を模式的に示す側面図である。
【図１５】図１４の座面部および袋部を取り出して示す正面図である。
【図１６】本発明の実施の形態３において、乳幼児の座席の前方部分を下方から見た図である。
【図１７】子守帯の腰ベルトの収納部を模式的に示す図である。
【発明を実施するための形態】
【００２１】
本発明の実施の形態について図面を参照しながら詳細に説明する。なお、図中同一または相当部分には同一符号を付してその説明は繰り返さない。
【００２２】
本実施の形態における座席付き育児器具は、肩ベルト付き子供保持具を装着した乳幼児を、装着状態のままで保持することができる。はじめに、本実施の形態における座席付き育児器具の説明に先立ち、これに取り付けられる子供保持具の構成について説明する。肩ベルト付き子供保持具の種類としては、子守帯、ベビーキャリー、スリング等があるが、以下の説明では、子守帯を例示的に説明する。なお、以下の説明において、左右方向および上下方向は、それぞれ、図１の紙面上の左右方向および上下方向を基準とする。
【００２３】
（子守帯の構成）
図１を参照して、子守帯６０は、乳幼児の胴部を包み込む子守帯本体７０と、乳幼児を担ぐ者の両肩にそれぞれ掛け渡される１対の肩ベルト８１，８５と、担ぐ者の腰に掛け渡される腰ベルト９０と、乳幼児の頭部を覆うヘッドサポート部１００とを備える。一方の肩ベルト８１は、担ぎ手の左肩に掛け渡される左肩ベルトであり、他方の肩ベルト８５は、担ぎ手の右肩に掛け渡される右肩ベルトである。
【００２４】
図２をさらに参照して、子守帯本体７０について説明する。子守帯本体７０は、乳幼児の下腹部を前方から保持する前当て部７１と、前当て部７１の下方に位置し、乳幼児の足股部を保持する股当て部７２と、乳幼児の背中部分を保持する背当て部７３とを有する。子守帯本体７０は、布製部材であり、クッション材料を含んでいてもよい。
【００２５】
背当て部７３の左上側部には、袋状の空間で形成される本体左腕部７６が設けられている。本体左腕部７６の空間の内部には、左肩ベルト８１の一端と連結する雌バックル７９ａが設けられている。また、背当て部７３の右上側部には、袋状の空間で形成される本体右腕部７７が設けられている。本体右腕部７７の空間の内部には、右肩ベルト８５の一端と連結する雌バックル７９ｂが設けられている。
【００２６】
背当て部７３の上下方向中央部に取り付けられる１対のバックル帯７５は、背当て部７３の中央部両端から左右両方向へ向けて略水平に延びており、バックル帯７５の端部には、雄バックル７４ａがそれぞれ取り付けられている。前当て部７１の上下方向中央部には、雄バックル７４ａと連結する雌バックル７４ｂが取り付けられている。子守帯本体７０を股当て部７２近傍で折り曲げ、１対の雄バックル７４ａと雌バックル７４ｂとを連結する。これにより、子守帯本体７０は、背当て部７３と、股当て部７２と、前当て部７１とで囲まれた領域に、乳幼児を収容するための空間を形成する。
【００２７】
次に、肩ベルト８１，８５について説明する。左肩ベルト８１は、上方に位置し担ぐ者の左肩に掛け渡される第１帯体８２と、第１帯体８２の下端部に長さ調整可能に連結されている第２帯体８３とから構成されている。第１帯体８２の上端部には、雄バックル８４が備えられ、子守帯本体７０の雌バックル７９ａと着脱可能に連結される。第２帯体８３の下端部は、子守帯本体７０の前当て部７１のたとえば上端部に連結されている。第２帯体８３の下端部と子守帯本体７０とは、縫い付けられているため着脱できない。第２帯体８３は、左肩ベルト８１の長さを調節でき、担ぐ者の体型に適合させることができる。
【００２８】
左肩ベルト８１と同様に、右肩ベルト８５は、上方に位置し担ぐ者の右肩に掛け渡される第１帯体８６と、第１帯体８６の下端部に長さ調整可能に連結されている第２帯体８７とから構成されている。第１帯体８６の上端部には、雄バックル８８が備えられ、子守帯本体７０の本体右腕部７７と着脱可能に連結される。第２帯体８７の下端部は、子守帯本体７０の前当て部７１のたとえば上端部に連結されている。第２帯体８７の下端部と子守帯本体７０とは、縫い付けられているため着脱できない。第２帯体８７は、右肩ベルト８５の長さを調節でき、担ぐ者の体型に適合させることができる。
【００２９】
次に、腰ベルト９０について説明する。腰ベルト９０は、左右方向に延在し、担ぐ者の腰に巻かれる腰当て部９１と、腰当て部９１の両端にそれぞれ設けられた雌バックル９３および雄バックル９４を有する。腰当て部９１の左右方向中央部の上端が、子守帯本体７０の股当て部７２の下端部に縫い付けられて連結されている。腰当て部９１のうち股当て部７２との境界部には、第１貫通孔９２が設けられる。第１貫通孔９２については、後述する。
【００３０】
次に、図３を参照して、ヘッドサポート部１００について説明する。ヘッドサポート部１００は、乳幼児の頭部を覆う頭部保護パッド１０１と、頭部保護パッド１０１の下方に連結し、乳幼児の背中を支持する背中保護パッド１０２とから構成されている。頭部保護パッド１０１の両端側部には、それぞれ左側円環部１０３と右側円環部１０４とが設けられている。さらに、左側円環部１０３には、子守帯本体７０の留め具７８ａと連結する留め具１０５が設けられ、右側円環部１０４には、子守帯本体７０の留め具７８ｂと連結する留め具１０６が設けられている。背中保護パッド１０２の裏面中央部などヘッドサポート部１００の裏面には、面ファスナ１０７が取り付けられている。
【００３１】
図１〜３を参照して、子守帯本体７０にヘッドサポート部１００を取り付けた状態を説明する。
【００３２】
ヘッドサポート部１００を図２に示す子守帯本体７０に連結するには、ヘッドサポート部１００の背中保護パッド１０２の下端部を、子守帯本体７０の背当て部７３の上部中央に設けられたポケット（図示せず）へ挿入する。さらに、本体左腕部７６を左側円環部１０３に挿通し、本体左腕部７６に設けられた留め具７８ａと、左側円環部１０３に設けられた留め具１０５とを連結する。同様に、本体右腕部７７を右側円環部１０４に挿通し、本体右腕部７７に設けられた留め具７８ｂと、右側円環部１０４に設けられた留め具１０６とを連結する。これにより、図１に示すように、ヘッドサポート部１００と、子守帯本体７０との間に２つの空間が形成される。本実施の形態では、これらの空間を、それぞれ第２貫通孔１１１および第３貫通孔１１２という。第２貫通孔１１１および第３貫通孔１１２については、後述する。
【００３３】
図４は、子守帯を装着した乳幼児の状態を前面から見た外観図であり、図５は、子守帯の使用状態を示す斜視図である。図４および図５を用いて、乳幼児に子守帯を装着した状態を説明する。
【００３４】
乳幼児に子守帯６０を装着すると、乳幼児の頭部は、ヘッドサポート部１００により保持され、乳幼児の胴体は、子守帯本体７０により包み込まれる。担ぎ手が子守帯本体７０に装着された乳幼児を担ぐ際には、担ぎ手の左肩に左肩ベルト８１を掛け、右肩に右肩ベルト８５を掛け、腰ベルト９０を担ぎ手の腰に巻き付けて装着する。
【００３５】
上述のように、子守帯６０の肩ベルト８１，８５は、上端部のみが着脱可能である。このような子守帯６０を装着した乳幼児を、装着状態のままで保持することができる座席付き育児器具について、以下に詳細に説明する。
【００３６】
（実施の形態１）
図６を参照して、本実施の形態に係る座席付き育児器具としての乳母車１の概要について説明する。乳母車１の説明において、前後方向は、乳母車の前後方向に対応し、左右方向は、乳母車の前方から見た左右方向に対応している。
【００３７】
乳母車１の基本構造としては、一般的な乳母車の構造と同様であってよく、乳母車１は、座席部２と、座席部２を下方から支持する脚部３と、押し棒１０とを備える。脚部３は、前輪４を有する一対の前脚６と、後輪５を有する一対の後脚７とを有する。また、乳母車１は、座席部２の両側部に位置する一対の手摺部材１２と、一対の手摺部材１２間に渡される前ガード部材１３とをさらに備えていてもよい。
【００３８】
座席部２は、乳幼児を受け入れるための受入空間を形成している。機能的な観点からすれば、座席部２は、座面部２１と背面部２２とを含んでいる。座面部２１は、乳幼児の下半身を保持し、背面部２２は、乳幼児の上半身を保持する。一方、実体的には、座席部２は、主に、座席フレーム２０と、座席フレーム２０上に装着される座席ハンモック３０とで構成されている。座席フレーム２０は、一対の前脚６と一対の後脚７の間に取り付けられる座板２５と、一対の後脚７からそれぞれ上方に延びる一対の側棒２３とを有している。座席ハンモック３０は、座板２５により下方から支持される座部３１と、一対の側棒２３に両側端が支持される背部３２とを有している。
【００３９】
そのため、座席部２の座面部２１は、座席フレーム２０の座板２５と、座席ハンモック３０の座部３１とから構成され、座席部２の背面部２２は、座席フレーム２０の一対の側棒２３と、座席ハンモック３０の背部３２とから構成される。
【００４０】
背部３２は、乳幼児の背中が当接する背部３２と、背もたれ部３３の両端縁から立ち上がる一対の立ち上がり部３４とを有していてもよい。なお、背部３２は、座席フレーム２０の側棒２３に代えて、押し棒１０の一対の側棒部１１により支持されていてもよい。また、座席ハンモック３０の座部３１と背部３２とは、やわらかい布製部材、たとえば、クッション材によって一体的に形成されていてもよい。
【００４１】
座席ハンモック３０には、乳幼児の身体を拘束する拘束ベルトが設けられている。拘束ベルトとして、たとえば、乳幼児の右肩を拘束する左肩拘束ベルト４１と、乳幼児の左肩を拘束する右肩拘束ベルト４２と、座席に着座した乳幼児の両太腿の間を延びる股拘束ベルト４３と、乳幼児の腰を拘束する腰拘束ベルト４４と、これらの拘束ベルトを連結する連結具４５とを含む。
【００４２】
また、座席ハンモック３０の背もたれ部３３、すなわち座席部２の背面部２２の表面には、子守帯６０のヘッドサポート部１００の裏面に設けられた面ファスナ１０７と着脱可能に接着される面ファスナ３５が設けられている。これにより、乳母車１の座席部２上に載置された子守帯本体７０のずれを防止することができる。
【００４３】
ここで、図８に示すように、乳母車１は、座席部２上で、乳幼児を保持している子守帯６０（子守帯本体７０）から延びる左肩ベルト８１、右肩ベルト８５および腰ベルト９０を収納する収納部２６をさらに備えている。収納部２６は、たとえば、座面部２１のうち乳幼児の足側に位置する端部裏面に設けられている。具体的には、図９に示すように、収納部２６は、座席ハンモック３０の座部３１の前端部裏面に、袋状に形成される。収納部２６は、その収納口２６０が後方を向くように設けられている。収納部２６は、たとえば、座席ハンモック３０の裏面に、カットされた布生地が縫い付けられることにより形成されている。布生地の収納口２６０の部分には、伸縮可能となるようゴムが縫い付けられていてもよい。なお、図９は、座席ハンモック３０の座部３１を裏面側から見た図である。
【００４４】
図７は、本実施の形態に係る乳母車１に子守帯６０を装着した状態を示す外観図である。図７を参照して、本実施の形態に係る乳母車１に子守帯６０を装着した乳幼児を保持させる方法を説明する。
【００４５】
まず、図４に示す子守帯６０を装着した乳幼児を、乳母車１にのせる。このとき、腰ベルト９０は、バックル９３，９４が外され、乳幼児の足部下に左右方向に延ばされている。肩ベルト８１，８５は、その上端部も子守帯本体７０に連結されたままである。この場合、肩ベルト８１，８５が乳幼児のじゃまになるため、子守帯本体７０の雌バックル７９ａと左肩ベルト８１の雄バックル８４との連結を解除し、子守帯本体７０の雌バックル７９ｂと右肩ベルト８５の雄バックル８８との連結を解除する。このようにして、肩ベルト８１，８５の上端部が子守帯本体７０から分離されると、肩ベルト８１，８５を座部３１の前方側に垂らす。
【００４６】
次に、拘束ベルトを乳幼児に取り付ける。まず、乳母車１の左肩拘束ベルト４１を子守帯本体７０の第２貫通孔１１１に通し、乳幼児の腹部付近まで引き延ばす。同様に、乳母車１の右肩拘束ベルト４２を子守帯本体７０の第３貫通孔１１２に通し、乳幼児の腹部付近まで引き延ばす。乳母車１の股拘束ベルト４３を腰ベルト９０の腰当て部９１に形成された第１貫通孔９２に通し、乳幼児の腹部付近まで引き延ばす。乳母車１の腰拘束ベルト４４を乳幼児の腰に巻きつけて、乳幼児の腹部付近まで引き延ばす。乳幼児の腹部付近上において、これらの左肩拘束ベルト４１、右肩拘束ベルト４２、股拘束ベルト４３および腰拘束ベルト４４を連結具４５で連結させる。これにより、子守帯本体７０に保持された乳幼児を子守帯本体７０ごと、乳母車１に拘束することができる。
【００４７】
その後、子守帯本体７０から延びる肩ベルト８１，８５および腰ベルト９０を収納部２６に収納する。このことについて、図８および図９を参照して説明する。
【００４８】
上述のように、収納部２６は、座席ハンモック３０の座部３１の前端部裏面に袋状に形成されている。そのため、座部３１の前方に垂らした左肩ベルト８１の上端部側部分Ｐ１および右肩ベルト８５の上端部側部分Ｐ２を、座席ハンモック３０の座部３１と座席フレーム２０の座板２５との間に後方に向かって挿入し、前方へ折り返すようにして収納口２６０の左右方向中央部から収納部２６に収納する。さらに、腰ベルト９０の左端部側部分Ｐ３および右端部側部分Ｐ４も、座席ハンモック３０の座部３１の左右方向両側より座部３１と座板２５との間に挿入し、収納口２６０の左右方向両端部から収納部２６に収納する。
【００４９】
このように、収納部２６に、子守帯本体７０から延びる肩ベルト８１，８５を収納することができるため、左肩ベルト８１および右肩ベルト８５を子守帯本体７０から完全に取り外さなくても、これらのベルトが乳幼児のじゃまになることがない。また、収納部２６に、子守帯本体７０に連結されたままの腰ベルト９０も収納できるため、乳幼児の乗り心地を損ねない。また、収納部２６が、座席ハンモック３０の座部３１の裏面に形成されているため、座席ハンモック３０の美観を損ねることもない。さらに、各肩ベルト８１，８５を子守帯本体７０から完全に取り外す必要はなく、一方の連結を解除するだけでよいので、作業が容易である。
【００５０】
一方、乳母車１から乳幼児を抱き上げるには、収納部２６に収納された左肩ベルト８１、右肩ベルト８５および腰ベルト９０の一部分を抜き出して、左肩ベルト８１の雄バックル８４と子守帯本体７０の雌バックル７９ａとを連結し、右肩ベルト８５の雄バックル８８と子守帯本体７０の雌バックル７９ｂとを連結するだけで、すぐに使用可能状態とすることができる。したがって、乳母車１に乗った乳幼児がぐずりだした場合、左肩ベルト８１と右肩ベルト８５のそれぞれ一箇所ずつを連結するだけでよいので、煩雑な作業を要することなく、すぐに乳幼児を子守帯６０で担ぐことができる。
【００５１】
なお、収納部２６は、座席ハンモック３０の座部３１の前方端部裏面に設けられることとしたが、座部３１の左右方向両端部側の裏面に一対の収納部がそれぞれ設けられてもよい。または、収納部２６は、座席ハンモック３０の座部３１ではなく、座席フレーム２０の座板２５に設けられてもよい。
【００５２】
図１０を参照して、収納部２６の他の構成例を説明する。図１０は、座板２５を裏側から見た図である。収納部２６ａは、たとえば、座板２５の裏面側カットされた生地を左右方向に掛け渡されることで形成されている。収納部２６ａは、前方を向く収納口２６１と、後方を向く収納口２６２とを有している。
【００５３】
この場合、座部３１の前方に垂らした肩ベルト８１，８５の上端部側部分Ｐ１，Ｐ２は、前方を向く収納口２６１から収納部２６ａに収納される。腰ベルト９０の左端部側部分Ｐ３および右端部側部分Ｐ４は、後方を向く収納口２６２から収納部２６ａに収納される。これにより、肩ベルト８１，８５と腰ベルト９０を前後両方向から収納することができるため、簡単に収納することができる。なお、収納部２６ａは、座板２５の表面側に形成されてもよい。
【００５４】
（実施の形態２）
図１１および図１２を参照して、本実施の形態２に係る乳母車１Ａの構成例について説明する。以下に実施の形態１に示した乳母車１との相違点のみ詳細に説明する。
【００５５】
本実施の形態では、腰ベルト９０は、上記した座面部２１に設けられた収納部２６（２６ａ）に収納されるが、肩ベルト８１，８５は背面部２２に設けられた収納部に収納される。つまり、乳母車１Ａは収納部２６に加え、一対の収納部２６ｂをさらに備えている。各収納部２６ｂは、座席ハンモック３０の立ち上がり部３４に設けられている。具体的には、各収納部２６ｂは、立ち上がり部３４に切込み８９を入れることで形成される。切込み８９は、立ち上がり部３４の前端部において、上下方向に延在している。一対の収納部２６ｂには、左肩ベルト８１および右肩ベルト８５がそれぞれ収納される。
【００５６】
このような位置に収納部２６ｂが形成された場合、肩ベルト８１，８５の上端部も子守帯本体７０に連結させたまま、左肩ベルト８１および右肩ベルト８５を収納してもよい。つまり、実施の形態１のように、子守帯本体７０の雌バックル７９ａと左肩ベルト８１の雄バックル８４との連結を解除し、子守帯本体７０の雌バックル７９ｂと右肩ベルト８５の雄バックル８８との連結を解除しなくてもよい。左肩ベルト８１および右肩ベルト８５は子守帯本体７０が完全に連結された状態（使用可能状態）のまま、それぞれの中央部Ｐ５，Ｐ６が収納部２６ｂに収納される。
【００５７】
このように、収納部２６ｂを立ち上がり部３４に形成することで、左肩ベルト８１および右肩ベルト８５を子守帯本体７０に取り付けたままでも収納することができる。この場合、乳幼児を乳母車１にのせたときに、肩ベルト８１，８５の上端部も子守帯本体７０から取り外す必要がないため、すぐに肩ベルト８１，８５を収納部２６ｂに収納することができる。さらに、乳母車１にのせた乳幼児を抱き上げる際には、肩ベルト８１，８５の上端部を子守帯本体７０に取り付ける手間が省けるので、乳幼児をすぐに子守帯６０で担ぐことができる。
【００５８】
なお、切り込み８９は、背もたれ部３３と立ち上がり部３４との境界部８９Ａに設けられてもよい。また、収納部２６ｂは、背面部２２の背もたれ部３３に設けられてもよい。
【００５９】
（実施の形態３）
図１３〜１６を参照して、本実施の形態３に係る乳母車１Ｂの構成例について説明する。以下に実施の形態１に示した乳母車１との相違点のみ詳細に説明する。
【００６０】
本実施の形態では、肩ベルト８１，８５の収納部は、座席フレーム２０に設けられており、具体的には、座席フレーム２０に吊り下げられた袋部５１である。袋部５１は、乳母車１Ｂの座面部２１の下方において、座席フレーム２０に取り付けられた収納かご５０の前方に吊り下げられている。袋部５１は、たとえば、メッシュなどの布生地で、１対の前脚６の間を掛け渡される程度の大きさで形成される。袋部５１は、上部に収納口５１ａを有し、前方から肩ベルト８１，８５を収納可能である。収納口５１ａの周囲は、伸縮可能となるようゴムが縫い付けられていてもよい。
【００６１】
さらに、袋部５１に収納される肩ベルト８１，８５の途中位置を固定するために、座席フレーム２０には、袋部５１の前方に位置する掛止部２９ａ，２９ｂが設けられている。具体的には、座席フレーム２０は、座板２５に代えて、左右の前脚６および後脚７に連結され、前後方向に延びる一対の支持棒２５Ａを有している。１対の支持棒２５Ａの前方端部には、ベルト２８が掛け渡されている。掛止部２９ａ，２９ｂは、間隔をあけてベルト２８に設けられている。ベルト２８は、支持棒２５Ａとは別部材で構成された１対の突出棒２７に取り付けられてもよい。
【００６２】
肩ベルト８１，８５を袋部５１に収納する際には、座部３１の前方側に垂らした左肩ベルト８１の上端部側部分Ｐ７および右肩ベルト８５の上端部側部分Ｐ８を折り畳んで乳母車１Ｂの前方から袋部５１に収納する。この場合、肩ベルト８１の途中位置を掛止部２９ａに引掛け、肩ベルト８５の途中位置を掛止部２９ｂに引掛ける。これにより、肩ベルト８１，８５が固定されるため、肩ベルト８１，８５が袋部５１から抜け落ちるおそれがない。
【００６３】
本実施の形態では、腰ベルトは、袋部５１と異なる箇所に収納される。具体的には、子守帯６０自体に収納部が設けられている。
【００６４】
図１７は、子守帯の腰ベルトの収納部を取り出して模式的に示す裏面図である。図１７を参照して、腰ベルト９０Ａは、腰当て部９１の裏面に形成された収納部９５に収納される。具体的には、収納部９５は、伸縮自在の布製部材で形成され、左方向を向く収納口２９１と、右方向を向く収納口２９２とを有している。
【００６５】
この場合、腰ベルト９０Ａの左端部側部分Ｐ９は、収納口２９１から収納され、右端部側部分Ｐ１０は収納口２９２から折り畳んで収納される。これにより、腰ベルト９０Ａを左右方向から収納することができるため、簡単に収納することができる。また、子守帯１００だけを使用する際に、腰ベルト９０Ａを使用しない場合も、収納部９５に腰ベルト９０Ａを収納することができるため、腰ベルト９０Ａがじゃまになることがない。
【００６６】
なお、実施の形態１では、座席部２は、座席フレームと２０と座席ハンモック３０との両方を含むとしたが、座席フレーム２０のみ含んでいてもよい。
【００６７】
また、実施の形態１〜３では、座席付き育児器具として、乳母車を例に説明したが、これに限定されず、ベビーラック、育児椅子、チャイルドシート等であってもよい。
【００６８】
さらに、上記実施の形態１〜３では、収納部は、袋状や切込みを入れることで形成したが、肩ベルトおよび腰ベルトを収納することができる形状であればよい。
【００６９】
さらに、子供保持具として子守帯６０を用いて説明したが、子守帯６０のような構成に限定されない。例えば、子守帯は、腰ベルト９０を有していなくてもよい。または、子守帯６０は、ヘッドサポート部１００と、子守帯本体７０との間に形成された２つの空間を、肩拘束ベルト貫通用の貫通孔１１１，１１２として利用するとしたが、ヘッドサポート部と一体的に設けられた背当て部に肩拘束ベルト用の貫通孔を設けてもよいし、その両側に切込みなどを設けてもよい。
【００７０】
なお、収納すべきベルトと乳幼児を拘束すべきベルトとは、識別可能であることが望ましい。すなわち、収納すべきベルトである子守帯６０の肩ベルト８１，８５および腰ベルト９０と、乳幼児を拘束すべきベルトである乳母車１の肩拘束ベルト４１，４２および腰拘束ベルト４４とは、たとえば、色を異ならせることが望ましい。さらに、乳幼児を拘束すべきベルトであっても、左肩拘束ベルト４１の雄雌バックル部分と、右肩拘束ベルト４２の雄雌バックル部分と、腰拘束ベルト４４の雄雌バックル部分とに、それぞれ同一の模様や記号を付けることにより、それぞれのベルトを識別してもよい。このような構造とされることで、乳幼児を乳母車１にのせたときに、バックルの挿入位置を迷うことなく、スムーズに連結することが可能である。
【００７１】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００７２】
１  乳母車、２  座席部、３  脚部、４  前輪、５  後輪、６  前脚、７  後脚、１０  押棒、１１  側棒部材、１２  手摺部材、１３  前ガード部材、２０  座席フレーム、２１  座面部、２２  背面部、２３  側棒、２５  座板、２５Ａ  支持棒、２６  収納部、２７  突出棒、２８  ベルト、２９  掛止部、３０  座席ハンモック、３１  座部、３２  背部、３３  背もたれ部、３４  立ち上がり部、３５  面ファスナ、４１  左肩拘束ベルト、４２  右肩拘束ベルト、４３  股拘束ベルト、４４  腰拘束ベルト、４５  連結具、５０  収納かご、５１  袋部、６０  子守帯、７０  子守帯本体、７１  前面部、７２  股当て部、７３  背当て部、７４ａ  雄バックル、７４ｂ  雌バックル、７５  バックル帯、７６  本体左腕部、７７  本体右腕部、７８ａ，７８ｂ  留め具、７９ａ７９ｂ  雌バックル、８１  左肩ベルト、８２  第１帯体、８３  第２帯体、８４  雄バックル、８５  右肩ベルト、８６  第１帯体、８７  第２帯体、８８  雄バックル、８９  切込み部、９０  腰ベルト、９１  腰当て部、９２  第１貫通孔、９３  雌バックル、９４  雄バックル、９５  収納部、１００  ヘッドサポート部、１０１  頭部保護パッド、１０２  背中保護パッド、１０３  左側円環部、１０４  右側円環部、１０５，１０６  留め具、１０７  面ファスナ、１１１  第２貫通孔、１１２  第３貫通孔。
【図１】
0006525604.tif 000002
【図２】
0006525604.tif 000003
【図３】
0006525604.tif 000004
【図４】
0006525604.tif 000005
【図５】
0006525604.tif 000006
【図６】
0006525604.tif 000007
【図７】
0006525604.tif 000008
【図８】
0006525604.tif 000009
【図９】
0006525604.tif 000010
【図１０】
0006525604.tif 000011
【図１１】
0006525604.tif 000012
【図１２】
0006525604.tif 000013
【図１３】
0006525604.tif 000014
【図１４】
0006525604.tif 000015
【図１５】
0006525604.tif 000016
【図１６】
0006525604.tif 000017
【図１７】
0006525604.tif 000018